(57)【要約】      （修正有）【課題】構造を複雑化することなく、十分な平面剛性を確保し、設計の自由度及び歩行感を向上できる階段構造を提供する。【解決手段】階段構造１００は、一対の桁部３１の間に、斜行部３１Ｂに段部３３が形成されると共に、水平部３１Ａに床板５８が敷設され、踊り場部３４が形成される。桁部３１に段部３３及び床板５８を設ける簡単な構造で、階段ユニット３０の十分な平面剛性を確保する。踊り場部３４の長さを調整して、梁間に階段ユニット３０を設ける。踊り場部３４を形成する床板５８は、躯体梁５に敷設される床板５６及び中間梁７Ｂに敷設される床板５７と同一の厚さ及び材質とする。【選択図】図４
2015094198.tif 000002
【特許請求の範囲】
【請求項１】
第１の梁、及び前記第１の梁より設置高さが高い第２の梁と、
前記第１の梁及び前記第２の梁との間に設けられる階段ユニットと、を備える階段構造であって、
前記第１の梁と前記第２の梁とは、平面視において互いに離間しており、且つ平行であり、
前記階段ユニットは、
前記第１の梁と前記第２の梁との間に架設される一対の桁部と、
前記一対の桁部間に架設される歩行部と、を備え、
前記一対の桁部は、
水平方向に延在する水平部と、
前記水平部と、前記第１の梁及び前記第２の梁の少なくとも一方との間に設けられる斜行部と、を備え、
前記歩行部は、
前記斜行部に形成される段部と、
前記水平部に形成される踊り場部と、を備え、
前記踊り場部は、前記第１の梁及び前記第２の梁の少なくとも一方に敷設される第１の床板と同一の厚さ及び同一の材質の第２の床板を敷設することによって形成されている、階段構造。
【請求項２】
前記水平部は、前記第１の梁及び前記第２の梁のうち前記第１の床板が敷設される梁から水平に延びており、
前記踊り場部を構成する前記第２の床板は、前記第１の床板と同一高さに設けられる、請求項１に記載の階段構造。
【請求項３】
平面視における前記踊り場部の長さは、幅寸法に比して大きく設定されている、請求項１又は２に記載の階段構造。
【請求項４】
前記第２の梁は、上階の躯体梁であり、当該上階の躯体梁の直下に下階の躯体梁が設けられ、
前記第１の梁は、前記上階と前記下階との間の中間階を構成する中間梁であり、
前記下階の躯体梁と前記中間梁との間に下階段ユニットが設けられる、請求項１〜３の何れか一項に記載の階段構造。
【請求項５】
前記中間階の中間階床部は、前記第１の梁及び前記第２の梁が延びる方向における大きさが、前記階段ユニット及び前記下階段ユニットの幅寸法の合計よりも大きく、
前記階段ユニット及び前記下階段ユニットは、互いに隣接、又は離隔して架設される、請求項４に記載の階段構造。
【発明の詳細な説明】
【技術分野】
【０００１】
本発明は、階段構造に関する。
【背景技術】
【０００２】
従来、一の階と当該階より下側の階とにわたって設けられる階段構造として、例えば特許文献１に記載されたものが知られている。このような階段構造は、一対の桁部と、当該桁部に支持される段部と、を有する階段ユニットを、各階の間に架け渡すことによって構成されている。階段ユニットは、一端側において上側の階の梁等の構造物に固定され、他端側において下側の階の梁等の構造物に固定される。
【先行技術文献】
【特許文献】
【０００３】
【特許文献１】特開平３−１８７４６１号公報
【発明の概要】
【発明が解決しようとする課題】
【０００４】
ここで、上述の階段構造では、各階や階段部分に複数の補強部材が架設されており、当該架構によって水平力に対して抵抗している。このように、上述の階段構造では、十分な水平剛性を確保するために構造が複雑になってしまうという問題があった。また、このような階段ユニットを用いる際の設計の自由度を向上させること、及び歩行感を向上させることが求められていた。
【０００５】
本発明は、上述のような課題を解決するためになされたものであり、構造を複雑化することなく、十分な平面剛性を確保し、設計の自由度及び歩行感を向上できる階段構造を提供することを目的とする。
【課題を解決するための手段】
【０００６】
本発明に係る階段構造は、第１の梁、及び第１の梁より設置高さが高い第２の梁と、第１の梁及び第２の梁との間に設けられる階段ユニットと、を備える階段構造であって、第１の梁と第２の梁とは、平面視において互いに離間しており、且つ平行であり、階段ユニットは、第１の梁と第２の梁との間に架設される一対の桁部と、一対の桁部間に架設される歩行部と、を備え、一対の桁部は、水平方向に延在する水平部と、水平部と、第１の梁及び第２の梁の少なくとも一方との間に設けられる斜行部と、を備え、歩行部は、斜行部に形成される段部と、水平部に形成される踊り場部と、を備え、踊り場部は、第１の梁及び第２の梁の少なくとも一方に敷設される第１の床板と同一の厚さ及び同一の材質の第２の床板を敷設することによって形成されている。
【０００７】
本発明に係る階段構造によれば、一対の桁部の間において、斜行部には段部が形成されると共に、水平部には第２の床板を敷設することによって踊り場部が形成される。このように、桁部に段部及び第２の床板を設けるだけの簡単な構造としつつ、階段ユニットの十分な平面剛性を確保することができる。また、本発明に係る階段構造によれば、設置高さが異なる第１の梁及び第２の梁の間に所定の長さの踊り場部を形成することができる。第１の梁及び第２の梁の間の水平間距離が長い場合であっても、桁部の水平部の長さを延ばして踊り場部を長くすることにより、段部の傾斜や段数を変更することなく、梁間に階段ユニットを設けることができる。従って、設計の自由度が向上する。更に、踊り場部を形成する第２の床板は、第１の梁及び第２の梁の少なくとも一方に敷設される第１の床板と同一の厚さ及び同一の材質の床板である。従って、利用者は、階段ユニットの踊り場部を歩行したときには、第１の梁や第２の梁で構成される階の床部と同様な歩行感を得ることができる。以上により、構造を複雑化することなく、十分な平面剛性を確保し、設計の自由度及び歩行感を向上できる。
【０００８】
本発明に係る階段構造において、水平部は、第１の梁及び第２の梁のうち第１の床板が敷設される梁から水平に延びており、踊り場部を構成する第２の床板は、第１の床板と同一高さに設けられてよい。これによって、設置高さの異なる第１の梁と第２の梁との間の空間に、第１の梁や第２の梁で構成される階の床部を延長させたように構成することができる。また、第２の床板が第１の床板と同一高さに設けられるため、仕上げ材を用いて第１の床板及び第２の床板上で面一な仕上げを行うことができるため、施工性を向上させることができる。
【０００９】
本発明に係る階段構造において、平面視における踊り場部の長さは、幅寸法に比して大きく設定されていてよい。このように踊り場部の長さを大きくすることにより、踊り場部が広くなることで踊り場部に敷設される第２の床板の面積が大きくなるので平面剛性を高めることができる。
【００１０】
本発明に係る階段構造において、第２の梁は、上階の躯体梁であり、当該上階の躯体梁の直下に下階の躯体梁が設けられ、第１の梁は、上階と下階との間の中間階を構成する中間梁であり、下階の躯体梁と中間梁との間に下階段ユニットが設けられてよい。これによって、階段ユニット及び下階段ユニットを第１の梁と第２の梁との間の空間に当てはめるだけで設計が完了するため、容易に設計を行うことが可能となる。
【００１１】
本発明に係る階段構造において、中間階の中間階床部は、第１の梁及び第２の梁が延びる方向における大きさが、階段ユニット及び下階段ユニットの幅寸法の合計よりも大きく、階段ユニット及び下階段ユニットは、互いに隣接、又は離隔して架設されてよい。これによって、中間階の中間階床部に対して、第１の梁及び第２の梁が延びる方向における大きさの範囲内で、階段ユニットと下階段ユニットを自由に設置することができる。これによって、設計の自由度が向上する。
【発明の効果】
【００１２】
本発明によれば、構造を複雑化することなく、十分な平面剛性を確保し、設計の自由度及び歩行感を向上できる。
【図面の簡単な説明】
【００１３】
【図１】本発明の実施形態に係る建物の概略を示す側断面図である。
【図２】本実施形態に係る建物の概略を示す平断面図である。
【図３】図２のＩＩＩ−ＩＩＩ線に沿った断面図である。
【図４】図２のＩＶ−ＩＶ線に沿った断面図である。
【図５】図４のＶ−Ｖ線に沿った断面図である。
【図６】図４の矢印Ｖで示す方向から見た図である。
【図７】変形例を示す概念図である。
【発明を実施するための形態】
【００１４】
以下、図面を参照して本発明に係る階段構造の実施形態を説明する。図１、及び図２に示されるように、本実施形態に係る階段構造１００が適用される建物１は、鉄骨造の梁勝ち架構を有する２階建て（２層構成）の工業化住宅であり、予め規格化（標準化）された構造部材の組み合わせによって架構が構成される。構造部材としては、躯体を構成する柱や梁等の他、床板や中間梁等も含まれ、各構造部材は、工場にて製造され、建築現場にて組み立て作業がなされる。
【００１５】
また、建物１は、３０５ｍｍの平面モジュール（Ｍ）を有し、柱や梁（基礎梁を含む）は、平面モジュール（Ｍ）の整数倍の間隔で規定された通芯上に配置される。具体的には、通芯は、例えば、互いに平行な複数の横の通芯（第１の通芯）Ｌ１，Ｌ２と、互いに平行な複数の縦の通芯（第２の通芯）Ｌ３，Ｌ４とが互いに直交して格子状をなし、第１の通芯と第２の通芯との交点に柱が立設される。
【００１６】
建物１は、１階床Ｆ１と２階床Ｆ２とを備え、更に、１階床Ｆ１と２階床Ｆ２との中間の高さに中間階床Ｆ３が設けられ、また、１階における中間階床Ｆ３の下方の領域に、１階床Ｆ１よりも一段下がった１階低床Ｆ４が形成されている。また、中間階床Ｆ３は、１階床Ｆ１から２階床Ｆ２までの高さを等分する位置ではなく、２階床Ｆ２寄りにずれて設けられている（図３参照）。また、建物１は、１階と中間階とを連絡する下側階段２と、中間階と２階とを連絡する上側階段３と、を備えている。
［２階及び非階床空間］
【００１７】
図２は、建物１の概略を示す平断面図である。図２に示されるように、複数の柱４Ａ，４Ｂ，４Ｃ，４Ｄは、第１の通芯Ｌ１，Ｌ２と第２の通芯Ｌ３，Ｌ４との計４つの交点にそれぞれ立設されている。より具体的には、柱４Ａは、第１の通芯Ｌ１と第２の通芯Ｌ３との交点に、柱４Ｂは、第１の通芯Ｌ１と第２の通芯Ｌ４との交点に、柱４Ｃは、第１の通芯Ｌ２と第２の通芯Ｌ４との交点に、柱４Ｄは、第１の通芯Ｌ２と第２の通芯Ｌ３との交点に、それぞれ立設されている。隣り合う柱４Ａ〜４Ｄ間には、梁５（２階梁）が架設されている。２階床レベルの領域は、床が敷設された有床領域Ａ１と床が敷設されない矩形状の無床領域（２階床レベルにおいて床が存在しない領域という意味）Ａ２とに分かれている。
【００１８】
有床領域Ａ１には、平行に架設された梁５間に小梁が適宜に架設されており、梁５上、及び小梁上にＡＬＣ（軽量気泡コンクリート）パネルからなる床板Ｂが敷設されることで２階床Ｆ２が形成されている。一方で、無床領域Ａ２には、床板Ｂが敷設されておらず、床開口部Ｓが形成されている。無床領域Ａ２は、柱４Ａと柱４Ｂの間で第１の通芯Ｌ１上に架設された梁５と、柱４Ｃと４Ｄとの間で第１の通芯Ｌ２上に架設された梁５と、柱４Ａと柱４Ｄとの間で第２の通芯Ｌ３上に架設された梁５と、柱４Ｂと柱４Ｃとの間で第２の通芯Ｌ４上に架設された梁５と、によって画成されている。すなわち、無床領域Ａ２の四周には、無床領域Ａ２を画成する梁５が配設されている。
［中間階］
【００１９】
図２及び図３に示されるように、中間階床Ｆ３はこの無床領域Ａ２内の一部領域に形成され、中間階床Ｆ３の上方が天井高の高い中間階空間Ｓ１、中間階床Ｆ３の下方が天井高の低い低天井空間Ｓ４となっている。床開口部Ｓ（無床領域Ａ２）のうち、中間階床Ｆ３以外の領域の一部には、下側階段２と上側階段３とからなる階段ユニットが設置されて、階段室Ｓ３が形成され、その他の領域は吹き抜け部Ｓ２となっている。中間階床Ｆ３は、２階床Ｆ２と同様、ＡＬＣからなる床板（床材）Ｂで形成されている。床板Ｂは、無床領域Ａ２内部において、平面視で無床領域Ａ２を画成する梁５に沿うと共に、無床領域Ａ２を画成する梁５よりも低く且つ基礎梁（１階梁）３７よりも高い位置に設けられた一対の第１中間梁７Ａ，７Ｂ及び一対の第２中間梁８Ａ，８Ｂ、そして第一中間梁７Ａ，７Ｂ間に架設された第３中間梁１０にて支持されている。ここで、「梁５に沿って配置された」とは、当該梁５と離れた位置であって当該梁５の延在方向と同じ方向に延びて配置されている場合を含むものとする。
【００２０】
第１中間梁７Ａ，７Ｂ及び第２中間梁８Ａ，８Ｂは、その端部において互いに接合されて矩形額状の中間階床梁フレーム９が形成される。
【００２１】
次に、本実施形態に係る階段構造１００について説明する。階段構造１００は、上述の上側階段３及び下側階段２を構成するものである。まず、図４〜図６を参照して、階段構造１００のうち、上側階段３に対応する部分における詳細な構成について説明する。図４〜図６に示すように、階段構造１００は、中間階床Ｆ３を構成する中間梁７Ｂと、中間梁７Ｂより設置高さが高い上階床（２階床）Ｆ２の躯体梁５と、中間梁７Ｂと躯体梁５との間に設けられる階段ユニット３０と、を備える。なお、躯体梁５は、上フランジ７１及び下フランジ７３をウェブ７２で連結することによって構成されるＨ形鋼である。また、中間梁７Ｂは、上フランジ７６及び下フランジ７８をウェブ７７で連結することによって構成されるＨ形鋼である。階段ユニット３０は、中間梁７Ｂ及び躯体梁５との間に架設される一対の桁部３１と、一対の桁部３１間に架設される歩行部３２と、を備えている。躯体梁５と中間梁７とは、平面視において互いに離間しており、且つ平行である。
【００２２】
桁部３１は、水平方向に延在する水平部３１Ａと、当該水平部３１Ａと中間梁７Ｂとの間に設けられる斜行部３１Ｂと、を備えている。また、歩行部３２は、斜行部３１Ｂに形成される段部３３と、水平部３１Ａに形成される踊り場部３４と、を備えている。水平部３１Ａは、一般床部２２の床板５６が敷設される梁である躯体梁５から水平に延びている。斜行部３１Ｂは、水平部３１Ａの中間梁７Ｂ側の端部３１Ａａと中間梁７Ｂとの間で一定の傾斜角度で延びている。なお、以降の説明では、斜行部３１Ｂが傾斜する方向を傾斜方向Ｄ１とし、当該傾斜方向Ｄ１と直交する水平方向を幅方向Ｄ２とし、鉛直な方向を上下方向Ｄ３とし、平面視において階段ユニット３０が延在する方向、すなわち水平部３１Ａが延在する方向を長さ方向Ｄ４とする。なお、以下の説明においては、階段ユニット３０を中間階床部２１から見たときの状態（使用者が段部３３を登ろうとする状態）を基準として、「前」「後」の語を用いる。
【００２３】
桁部３１は、一定の断面形状で水平部３１Ａにおいては長さ方向Ｄ４に延び、一定の断面形状で斜行部３１Ｂにおいては傾斜方向Ｄ１に延びる部材である。桁部３１は、幅方向Ｄ２に広がる受部３５と、受部３５の幅方向Ｄ２における内側の縁部から下方へ広がる鉛直部３８と、鉛直部３８の下端部から幅方向Ｄ２における内側へ広がる屈曲部３９と、を備える（特に図５参照）。受部３５、鉛直部３８、及び屈曲部３９は、水平部３１Ａにおいては長さ方向Ｄ４に延び、斜行部３１Ｂにおいては傾斜方向Ｄ１に延びる。受部３５は、段部３３及び踊り場部３４を受ける受面として機能する。桁部３１の後側の端部３１ａ（すなわち水平部３１Ａの後側の端部）は、躯体梁５の上フランジ７１の前側の端部と離間して対向する位置に配置されている。また、水平部３１Ａでは、受部３５の上面３５ａは、躯体梁５の上端面５ａと同一高さ位置に配置されている。また、屈曲部３９は、躯体梁５の下フランジ７３よりも高い位置に設けられる。なお、本実施形態では桁部３１の傾斜方向Ｄ１の傾斜角度は水平方向に対して４５°に設定されているが、傾斜角度は特に限定されない。
【００２４】
桁部３１の後側の端部３１ａには、当該桁部３１と躯体梁５とを連結する連結部材５１が設けられている。連結部材５１は、桁部３１の後側の端部３１ａから突出して、躯体梁５のウェブ７２に固定される部材である。具体的に、連結部材５１は、ウェブ７２の側面に沿って幅方向Ｄ２に延びる梁側連結部５１ａと、当該梁側連結部５１ａの幅方向Ｄ２における両端で屈曲して前方へ延びる一対の桁部側連結部５１ｂと、を備える。桁部側連結部５１ｂは、桁部３１の鉛直部３８の幅方向Ｄ２における外側の面と当接すると共にボルト等によって固定される。また、梁側連結部５１ａは、躯体梁５のウェブ７２の側面と当接すると共にボルト等によって固定される。これによって、桁部３１は、端部３１ａ側において連結部材５１を介して躯体梁５に固定される。
【００２５】
桁部３１の前側の端部３１ｂには、当該桁部３１と中間梁７Ｂとを連結する連結ブラケット５２が設けられている。連結ブラケット５２は、中間梁７Ｂの上端面７ｂに固定されている。なお、桁部３１の前側の端部３１ｂ、すなわち斜行部３１Ｂの前側の端部は、水平方向に真っ直ぐとなるように切り欠かれている。具体的に、連結ブラケット５２は、桁部３１の端部３１ｂを載置するように水平方向に広がると共に幅方向Ｄ２に延びる桁部側連結部５２ａと、桁部側連結部５２ａの前側の縁部から下方へ広がると共に幅方向Ｄ２に延びる鉛直部５２ｂと、鉛直部５２ｂの下側の縁部から後方へ広がると共に幅方向Ｄ２に延びる梁側連結部５２ｃと、を備えている。桁部側連結部５２ａ上には、桁部３１の端部３１ｂが載置される。また、桁部側連結部５２ａの幅方向Ｄ２における両端からは連結片５２ｄが上方へ延びており、当該連結片５２ｄは桁部３１の鉛直部３８の幅方向における外側の面と当接すると共にボルト等によって固定される。また、梁側連結部５２ｃは、中間梁７Ｂの上端面７ｂと当接すると共にボルト等によって固定される。これによって、桁部３１は、端部３１ｂ側において連結ブラケット５２を介して中間梁７Ｂに固定される。
【００２６】
段部３３は、桁部３１の斜行部３１Ｂにおける受部３５に設けられた同一形状の複数の段板部材４６によって構成されている。段板部材４６は、板材を屈曲させて所定の断面形状で幅方向Ｄ２に延びる部材である。具体的に、段板部材４６は、水平方向に広がる上壁部４６ａと、上壁部４６ａの前側の端部から下方へ延びる前壁部４６ｂと、上壁部４６ａの後側の端部から桁部３１の受部３５の上面３５ａに沿って広がる接続部４６ｃと、前壁部４６ｂの下端部から桁部３１の受部３５の上面３５ａに沿って広がる接続部４６ｄと、を備えている。なお、最上段の段板部材４７は、桁部３１の水平部３１Ａと斜行部３１Ｂとの間に配置されており、段板部材４６とは異なる形状を有している。段板部材４７は、水平方向に広がる上壁部４７ａと、上壁部４７ａの前側の端部から下方へ延びる前壁部４７ｂと、上壁部４７ａの後側の端部下方へ延びる後壁部４７ｅと、後壁部４７ｅの下端部から桁部３１の受部３５の水平部３１Ａにおける上面３５ａに沿って広がる接続部４７ｃと、前壁部４６ｂの下端部から桁部３１の受部３５の上面３５ａに沿って広がる接続部４７ｄと、を備えている。本実施形態では桁部３１に対して傾斜方向Ｄ１に沿って３つの段板部材４６と、一つの段板部材４７が並べられることによって、段部３３は４段に形成されている。
【００２７】
踊り場部３４は、それぞれの桁部３１の受部３５の上面３５ａに床板（第２の床板）５８を敷設すると共に当該床板５８上に仕上げ材８０を設けることによって構成されている。ここで、躯体梁５の上端面５ａの一部には、一般床部２２を構成する床板（第１の床板）５６の縁部が載置されていると共に、当該床板５６上に仕上げ材８１を設けることによって一般床部２２が構成されている。床板５８は、長さ方向Ｄ４において、複数枚（図４では２枚であるが、当該数量に限定されない）配置されている。前側の端部においては、床板５８の端面が段部３３の最上段の段板部材４７の後壁部４７ｅと対向するように配置されている（図４参照）。後側の端部においては、床板５８の端部が躯体梁５の上端面５ａの一部に載置されると共に、当該床板５８の後側の端面が一般床部２２の床板５６の前側の端面と対向するように配置されている。
【００２８】
また、床板５８は、幅方向Ｄ２において、一枚配置されている（図５参照）。幅方向Ｄ２の一方の端部は、桁部３１の外側において躯体梁５の上端面５ａの一部に載置されると共に、当該床板５８の端面が一般床部２２の床板５６の端面と対向するように配置されている。幅方向Ｄ２の他方の端部は、桁部３１の外側においてモルタル受部４１と対向するように配置されている。モルタル受部４１は、幅方向Ｄ２の一方の桁部３１に設けられており、床板５８の端面と対向する受部４１ａと、桁部３１の受部３５の下面と接合されると共に受部４１ａと連結される水平部４１ｂと、桁部３１の鉛直部３８と締結されると共に水平部４１ｂと連結される接続部４１ｃと、を備えている。モルタル受部４１の受部４１ａと床板５８の端面との間には、モルタルが充填される。
【００２９】
踊り場部３４を構成する床板５８は、一般床部２２の床板５６と同一の厚さ及び同一の材質の床板が用いられている。なお、ここでの同一とは、完全に寸法が同一であることのみならず、設計上の誤差や配置の関係の僅かな寸法の差が生じることも含まれる。本実施形態では、踊り場部３４の床板５８は、一般床部２２の床板５６と同様にＡＬＣパネルを用いられており、床板５６と同じ厚さ寸法のものが用いられている。また、床板５８は、床板５６と同一高さに設けられると共に、床板５６と面一に仕上げられている。すなわち、桁部３１の水平部３１Ａでの上面３５ａは、躯体梁５の上端面５ａと同一の高さ位置に設けられると共に、床板５６と床板５８の厚さが同一であることによって、床板５６の上面５６ａと床板５８の上面５８ａとは同一の高さ位置に設けられる。また、床板５８に対する仕上げ材８０は、床板５６に対する仕上げ材８１と連続的に形成されるものであって、仕上げ材８０の上面８０ａ（すなわち床面）と仕上げ材８１の上面８１ａ（すなわち床面）とは面一に仕上げられている。なお、中間梁７Ｂの上端面７ｂの一部には中間階床部２１を構成する床板５７が載置されており、床板５７の連結ブラケット５２の鉛直部５２ｂと対向するように配置され、その上面に仕上げ材８２を設けることによって中間階床部２１が構成される。
【００３０】
次に、図２及び図１を参照して、階段ユニット３０の配置や大きさについて詳細に説明する。階段ユニット３０は、吹き抜け部Ｓ２の長辺位置の躯体梁５と中間梁７Ｂとの間に架設されている。階段ユニット３０が架けられる梁のうちの設置位置の高い梁は、上階（２階）の躯体梁５であり、当該躯体梁５の直下に下階（１階）の基礎梁３７が設けられる（図３参照）。階段構造１００では、下階の基礎梁３７と中間梁７Ｂとの間に下階段ユニット６０が階段ユニット３０に隣接して設けられる。平面視（図２に示す状態）において、下側階段２を構成する下階段ユニット６０を支持する基礎梁３７と中間梁７Ｂとの間隔Ｌ１は、上側階段３を構成する階段ユニット３０を支持する中間梁７Ｂと躯体梁５との間隔Ｌ２と同一である（図２参照）。なお、ここでの同一とは、完全に寸法が同一であることのみならず、設計上の誤差や、配置の関係上の僅かな寸法の差が生じることも含まれる。なお、同一でなくともよい。また、階段ユニット３０の踊り場部３４の長さ方向Ｄ４における大きさである長さ寸法Ｌ３（平面視における長さ）は、幅方向Ｄ２の大きさである幅寸法Ｌ４に比して大きく設定されている（図２参照）。ただし、長さ寸法Ｌ３は幅寸法Ｌ４以下であってもよい。また、吹き抜け部Ｓ２の長辺の長さは、下階段ユニット６０と階段ユニット３０の幅寸法の合計Ｌ６よりも大きい。本実施形態では、中間階床Ｆ３の中間階床部２１は、躯体梁５及び中間梁７Ｂが延びる方向における大きさＬ５が、階段ユニット３０及び下階段ユニット６０の幅寸法の合計Ｌ６よりも大きい。ここで、各梁のウェブには、ボルト挿通孔からなり他の部材が接合される接合部が梁の全長にわたって、平面モジュール（Ｍ）に対応した間隔で設けられている。階段ユニット３０及び下階段ユニット６０は、このような梁に形成された接合部の二カ所にそれぞれ接合される。従って、階段ユニット３０及び下階段ユニット６０の幅方向Ｄ２における設置位置を平面モジュールＭのピッチでずらすことができる。また、階段ユニット３０及び下階段ユニット６０は、互いに離隔して架設可能である。ただし、大きさＬ５は、階段ユニット３０及び下階段ユニット６０の幅方向Ｄ２における大きさの合計Ｌ６と同一でもよい。
【００３１】
次に、本実施形態に係る階段構造１００の作用・効果について説明する。
【００３２】
本実施形態に係る階段構造１００によれば、一対の桁部３１の間において、斜行部３１Ｂには段部３３が形成されると共に、水平部３１Ａには床板５８が敷設されることによって踊り場部３４形成されている。このように、桁部３１に段部３３及び床板５８を設けるだけの簡単な構造としつつ、階段ユニット３０の十分な平面剛性を確保することができる。また、本実施形態に係る階段構造１００によれば、設置高さが異なる躯体梁５及び中間梁７Ｂの間に所定の長さの踊り場部３４を形成することができる。躯体梁５及び中間梁７Ｂの間の水平間距離が長い場合であっても、桁部３１の水平部３１Ａの長さを延ばして踊り場部３４を長くすることにより、段部３３の傾斜や段数を変更することなく、梁間に階段ユニット３０を設けることができる。従って、設計の自由度が向上する。更に、踊り場部３４を形成する床板５８は、躯体梁５に敷設される床板５６及び中間梁７Ｂに敷設される床板５７と同一の厚さ及び同一の材質の床板である。従って、利用者は、階段ユニット３０の踊り場部３４を歩行したときには、躯体梁５で支持される２階床Ｆ２や中間梁７Ｂで支持される中間階床Ｆ３の中間階床部２１と同様な歩行感を得ることができる。以上により、構造を複雑化することなく、十分な平面剛性を確保し、設計の自由度及び歩行感を向上できる。
【００３３】
本実施形態に係る階段構造１００において、水平部３１Ａは、躯体梁５から水平に延びており、踊り場部３４を構成する５８は、床板５６と同一高さに設けられる。これによって、設置高さの異なる躯体梁５と中間梁７Ｂとの間の空間に、躯体梁５で構成される２階床Ｆ２の一般床部２２を延長させたように構成することができる。また、床板５８が床板５６と同一高さに設けられるため、仕上げ材８０，８１を用いて床板５６，５８上で面一な仕上げを行うことができ、施工性を向上させることができる。
【００３４】
本実施形態に係る階段構造１００において、平面視における踊り場部３４の長さ寸法Ｌ３は、幅寸法Ｌ４に比して大きく設定されていている。このように踊り場部３４の平面視における長さ寸法Ｌ３を大きくすることにより、踊り場部３４が広くなることで踊り場部３４に敷設される床板５８の面積が大きくなるので平面剛性を高めることができる。
【００３５】
本実施形態に係る階段構造１００において、高い位置に設置されている梁は、上階（２階床Ｆ２）の躯体梁５であり、当該上階の躯体梁５の直下に下階（１階床Ｆ１）の基礎梁３７が設けられている。また、低い位置に設定されている梁は、上階と下階との間の中間階床Ｆ３を構成する中間梁７Ｂであり、下階の基礎梁３７と中間梁７Ｂとの間に下階段ユニット６０が設けられている。これによって、階段ユニット３０及び下階段ユニット６０を躯体梁５と中間梁７Ｂとの間の空間に当てはめるだけで設計が完了するため、容易に設計を行うことが可能となる。
【００３６】
本実施形態に係る階段構造１００において、中間階床Ｆ３の中間階床部２１は、躯体梁５及び中間梁７Ｂが延びる方向における大きさＬ５が、階段ユニット３０及び下階段ユニット６０の幅方向Ｄ２における大きさの合計Ｌ６よりも大きい。また、階段ユニット３０及び下階段ユニット６０は、互いに独立して架設可能である。これによって、中間階床Ｆ３の中間階床部２１に対して、躯体梁５及び中間梁７Ｂが延びる方向における大きさの範囲内で、階段ユニット３０と下階段ユニット６０を自由に設置することができる。これによって、設計の自由度が向上する。
【００３７】
本発明は、上述の実施形態に限定されるものではない。例えば、上述の実施形態に係る階段構造１００では、図７（ａ）に示すように、低い中間梁７Ｂ側に斜行部３１Ｂが設けられ、高い躯体梁５側に水平部３１Ａが設けられていた。しかしながら、図７（ｂ）に示す階段構造２００のように、低い中間梁７Ｂ側に水平部３１Ａが設けられ、高い躯体梁５側に斜行部３１Ｂが設けられてもよい。また、図７（ｃ）に示す階段構造３００のように、低い中間梁７Ｂから斜行部３１Ｂが延びると共に高い躯体梁５から斜行部３１Ｂが延び、中央側に水平部３１Ａが設けられてもよい。
【００３８】
なお、上述の実施形態では、低い位置に設置される梁（第１の梁）が中間梁７Ｂであり、高い位置に設置される梁（第２の梁）が躯体梁５であった。しかしながら、このような構成に限定されない。
【符号の説明】
【００３９】
１…建物、５…躯体梁（第２の梁）、７Ｂ…中間梁（第１の梁）、２１…中間階床部、２２…一般床部、３０…階段ユニット、３１…桁部、３１Ａ…水平部、３１Ｂ…斜行部、３２…歩行部、３３…段部、３４…踊り場部、５６，５７…床板（第１の床板）、５８…床板（第２の床板）、６０…下階段ユニット、１００，２００，３００…階段構造。
【図１】
2015094198.tif 000003
【図２】
2015094198.tif 000004
【図３】
2015094198.tif 000005
【図４】
2015094198.tif 000006
【図５】
2015094198.tif 000007
【図６】
2015094198.tif 000008
【図７】
2015094198.tif 000009